(57)【要約】【課題】従来の常識的手法に依存することなく表現テーマに応じた優れた色柄を生み出して物品に反映させることができる色柄を備えた物品の製造方法を提供する。【解決手段】予め定められた表現テーマＴ１〜Ｔ１２に適した複数種類の色を選定する色選定工程１と、これらの選定色にそれぞれ対応した色の発泡体を特定する発泡体特定工程２と、特定された各発泡体をカットして複数のチップを得るチップ製造工程３と、各発泡体から得られたチップを集合させ表面を加熱する加熱工程４と、加熱して表面が軟化した複数のチップを圧縮成形し冷却後取り出す成形工程５と、この成形工程を経て取り出された成形発泡体の表面又は切断面に現れる模様を前記表現テーマに即した色柄としその色柄を物品の表面に配する色柄生成配置工程６とを備える、色柄を備えた物品Ｕ１〜Ｕ１２の製造方法を採用する。【選択図】図４
2020131527.tif 000002
【特許請求の範囲】
【請求項１】
予め定められた表現テーマに適した複数種類の色を選定する色選定工程と、
これらの選定色にそれぞれ対応した色の発泡体を特定する発泡体特定工程と、
特定された各発泡体をカットして複数のチップを得るチップ製造工程と、
各発泡体から得られたチップを集合させ表面を加熱する加熱工程と、
加熱して表面が軟化した複数のチップを圧縮成形し冷却後取り出す成形工程と、
この成形工程を経て取り出された成形発泡体の表面又は切断面に現れる模様を前記表現テーマに即した色柄としその色柄を物品の表面に配する色柄生成配置工程とを備えたことを特徴とする色柄を備えた物品の製造方法。
【請求項２】
前記色柄生成配置工程は、前記成型工程における圧縮方向と略直交する面で前記成形発泡体をスライスすることによって現れる色柄を前記物品に配するようにしたものである請求項１記載の色柄を備えた物品の製造方法。
【請求項３】
前記色柄が現れる面が、前記圧縮方向に直交する仮想平面に対して０°〜４５°の角度をなしている請求項２記載の色柄を備えた物品の製造方法。
【請求項４】
前記物品が、食器関連品である請求項１、２又は３記載の色柄を備えた物品の製造方法。
【請求項５】
前記物品が、内装関連品である請求項１、２又は３記載の色柄を備えた物品の製造方法。
【請求項６】
前記物品が、計器の文字盤である請求項１、２又は３記載の色柄を備えた物品の製造方法。
【請求項７】
前記物品が、包装関連品である請求項１、２又は３記載の色柄を備えた物品の製造方法。
【請求項８】
前記物品が、前記発泡成形体を薄くスライスして得られるシート素材である請求項１、２又は３記載の色柄を備えた物品の製造方法。
【請求項９】
前記発泡体特定工程における発泡体の発泡倍率が、１５倍〜４０倍であり、前記成形工程における圧縮率が４０％〜８０％である請求項１、２、３、４、５、６、７又は８記載の色柄を備えた物品の製造方法。
【発明の詳細な説明】
【技術分野】
【０００１】
本発明は、視認可能な部位に色柄を備えた物品の製造方法に関する。
【背景技術】
【０００２】
視認可能な部位に種々の色柄、すなわち色付きの図柄を備えた物品は従来から無数に存在するものであり、当該物品の商品価値等を向上させる手段として広く普及している。
【０００３】
ところで、この種の色柄は、自然の素材や風景等を利用した天然由来の図柄か、デザイナーが創作した人工的な図柄を基にして作られたものが大部分であり、看者が目を見張り感動するような奇抜な色柄を施すには、もっぱら職人の素材処理能力や写真家の構図力、或いはデザイナーの図案創作力に頼らざるを得ないのが現状である。
【０００４】
例を挙げれば枚挙に遑が無いが、非特許文献１に開示された床柱は、職人の磨き技により表面に美しい木目調の色柄を表出させたものであり、非特許文献２に開示された包装紙は、写真家が撮影した人物や風景画像等を色柄として表面に印刷したものであり、非特許文献３に開示された財布は、デザイナーが創作した色付きの図柄を表面に施したものである。
【先行技術文献】
【非特許文献】
【０００５】
【非特許文献１】“施工例紹介｜カクニシビルダー−ｐａｒｔ４”、［ｏｎｌｉｎｅ］、平成22年、［平成３１年１月２５日検索］、インターネット＜https://kakunishi.co.jp/gallery/page/4＞
【非特許文献２】“［世界から］初の政権交代から約３カ月たったマレーシアの現状は−共同通信”、［ｏｎｌｉｎｅ］、平成30年、［平成３１年１月２５日検索］、インターネット＜https://this.kiji.is/404531019979441249＞
【非特許文献３】“Ａｍａｚｏｎ｜（ルイヴィトン）ＬＯＵＩＳ  ＶＵＩＴＴＯＮ  モノグラム・マルチカラー  ジッピーウォレット  Ｍ６０２４１  ホワイト／リッチ［並行輸入品］｜財布”、［ｏｎｌｉｎｅ］、平成２２年、［平成３１年１月２５日検索］、インターネット＜https://www.amazon.co.jp/dp/B0049TVH96/＞
【発明の概要】
【発明が解決しようとする課題】
【０００６】
本発明は、このような事情に着目してなされたもので、従来の常識的手法に依存することなく表現テーマに応じた優れた色柄を生み出して物品に反映させることができる色柄を備えた物品の製造方法を提供しようとするものである。
【課題を解決するための手段】
【０００７】
本発明に係る色柄を備えた物品の製造方法は、予め定められた表現テーマに適した複数種類の色を選定する色選定工程と、これらの選定色にそれぞれ対応した色の発泡体を特定する発泡体特定工程と、特定された各発泡体をカットして複数のチップを得るチップ製造工程と、各発泡体から得られたチップを集合させ熱風で加熱する加熱工程と、加熱して表面が軟化した複数のチップを圧縮成形し冷却後取り出す成形工程と、この成形工程を経て取り出された成形発泡体の表面又は切断面に現れる模様を前記表現テーマに即した色柄としその色柄を物品の表面に配する色柄生成配置工程とを備えたものである。
【０００８】
ここで「表現テーマ」とは、どのような雰囲気の色柄を得たいかを表すものであればどのようなものであってもよく、漠然としたものであると具体的なものであるとを問わない。
【０００９】
前述した「色柄生成配置工程」には、少なくとも、（１）成形工程を経て取り出された成形発泡体の表面又は切断面に現れる模様をそのまま色柄として物品の表面に配する態様、すなわち、色柄を有する成形発泡体をそのまま物品の全部又は一部に取り入れる態様と、（２）成形発泡体の表面又は切断面に現れる模様を色柄としてカメラ等により撮像し、その画像データに基づいて物品にその色柄を印刷する態様とが含まれている。ここで「切断面」とは、切断する方向を問わないものであり、後述するスライス面や断面はその概念に含まれる。
【００１０】
特にメリハリの利いた趣のある色柄を得るには、前記色柄生成配置工程において、前記成形工程における圧縮方向と略直交する面で前記成形発泡体をスライスすることによって現れる色柄を物品に配するのが望ましい。より具体的には、色柄が現れる面を、前記圧縮方向に直交する仮想平面に対して０°〜４５°の角度をなすように設定するのが好ましい。このような角度範囲でスライスした面には、色彩が施された複数の不定形領域が境界線を介して密に配された色柄が出現するものであり、境界線が最も色が濃く、各不定形領域にはグラデーション等の濃淡が現れる。圧縮方向に直交する仮想平面に対して前述した角度範囲を逸脱する角度で裁断すると、かかる美的効果が低下する。以下この明細書では、前述の角度範囲で成形発泡体をスライスした面を「スライス面」と称する場合がある。
【００１１】
スライス面に表出する色柄は、成形発泡体が出来上がる毎に異なったものとなり、ひとつとして同じものはできないが、表現テーマ毎に選定色を体現したチップの混合割合を一定にしておけば、表現テーマ毎に印象を同じくする色柄が生成される。各色柄は、前述したように境界線が最も色が濃く、各不定形領域には境界に向かって漸次色が濃くなるグラデーション等が現れる。すなわち、境界線は、隣接するチップ同士が表面溶融して密着接合された部分であり、チップの表面が溶融している関係で他の部分に比べて密度が高く最も濃くなる。一方、各不定形領域は各チップに対応する部分である。各チップは前記成形工程において圧縮されるため、各不定形領域の色は元のチップに施された色よりも濃くなる。そして、複数のチップをランダムに集合させる関係で各チップは不均一に圧縮されることになり、色柄の不定形領域には趣のある濃淡も現れる。なお、スライス面以外の面で裁断した場合も境界線と不定形領域とが表出するが、スライス面以外の面に現れる色柄の不定形領域は全体的に色が濃く、濃淡が現れにくい傾向がある。特に、圧縮方向と平行な断面、換言すれば、前記仮想平面と直交する断面に現れる色柄は、圧縮度合が高いと各不定形領域が濃淡のほとんどない濃い色となる。
【００１２】
また、スライス面に現れる色柄の各不定形領域には、気泡由来の細かい凹凸が存在するものであり、その凹凸により構造色とも言うべき玉虫色の光沢が現れることがある。特に、前記発泡体特定工程における発泡体の発泡倍率を、１５倍〜４０倍（特に、二段発泡の場合。より好ましくは、２０倍〜３０倍）とし、前記成形工程における圧縮率を４０％〜８０％（より好ましくは、６０％〜７０％。約６５％）とした場合には、色柄の各不定形領域に気泡由来の光沢のある肌模様が出現し易い。なお、スライス面以外の面、特に、圧縮方向と平行な断面に現れる色柄の不定形領域では気泡が押しつぶされる傾向があるため、気泡由来の肌模様は期待し難い。
【００１３】
以上のような製造方法により作られる物品には、従来の常識的手法からでは得られない奇抜な色柄が施されるものであり、有用な用途として次のようなものを挙げることができる。
【００１４】
請求項４に係る発明は、物品が、食器関連品である場合のものである。「食器関連品」は、食器自体又は食器と併用されるものであればどのようなものであってもよく、例えば、コースターやランチョンマット等はその概念に含まれる。
【００１５】
請求項５に係る発明は、物品が、内装関連品である場合のものである。「内装関連品」は、室内の雰囲気に影響を与え得るものであればどのようなものであってもよく、例えば、家具、クッション類、クッションボード、壁紙、或いは、カーテン等はその概念に含まれる。
【００１６】
請求項６に係る発明は、物品が、計器の文字盤である場合のものである。「計器」には、掛け時計や置時計をはじめ種々の時計が含まれるが、さらに、時計以外の例えば温度計や湿度計なども包含される。
【００１７】
請求項７に係る発明は、物品が、包装関連品である場合のものである。「包装関連品」は、何らかの品を包んだり収容したりするシート状、袋状、或いは器状のものであればどのようなものであってもよく、例えば、包装紙、紙袋、或いは、包装容器等はその概念に含まれる。
【００１８】
請求項８に係る発明は、物品が、シート素材である場合のものである。「シート素材」により作られる製品としては、ブックカバーや、クリヤーファイルの仕切りや、梱包シート等を挙げることができる。
【００１９】
請求項９に係る発明は、特に綺麗な色柄を得るための条件を限定するものであり、前記発泡体特定工程における発泡体の発泡倍率が、１５倍〜４０倍であり、前記成形工程における圧縮率が４０％〜８０％であるという条件を提示している。ここで「特に綺麗な色柄」とは、境界線を介して隣接する複数の不定形領域に表現テーマに応じた種々の色が展開されるという基本的な特性を有するだけなく、各不定形領域を形成する各チップが均一に圧縮されないため、成形後は光が均等に反射せず、選定して混ぜた色の数以上に、色を多く感じられるという特性を有した色柄を意味している。
【発明の効果】
【００２０】
本発明によれば、従来の常識的手法に依存することなく表現テーマに応じた優れた色柄を生み出すことができ、その色柄を物品に施すことができる色柄を備えた物品の製造方法を提供することができる。
【図面の簡単な説明】
【００２１】
【図１】本発明の第１実施形態のコースターを示す正面図。
【図２】同実施形態のコースターを示す拡大正面図。
【図３】同実施形態のコースターを示す平面図。
【図４】同実施形態のコースターの製造方法を概略的に示す工程説明図。
【図５】同実施形態の原板色を示す表。
【図６】同実施形態の各表現テーマで使用する原板色及びその配合割合を示す表。
【図７】同実施形態の原板を製造する工程を説明する工程説明図。
【図８】同実施形態の原板からコースターを製造する工程を説明する工程説明図。
【図９】同実施形態の原板を縦方向にカットしている途中の状態の模式図。
【図１０】同実施形態の複数種類の色のチップを集合させた状態を示す模式図。
【図１１】同実施形態の各色のチップを型に入れるイメージの模式図。
【図１２】同実施形態の型から取り出した成形発泡体の模式図。
【図１３】同実施形態の成形発泡体をスライスして製品素材を得る状態の模式図。
【図１４】同実施形態の製品素材を打ち抜いてコースターを得る状態の模式図。
【図１５】本発明の第２実施形態のクッションの使用状態を示す斜視図。
【図１６】同実施形態のクッションを示す正面図。
【図１７】本発明の第３実施形態のクッションボードを示す正面図。
【図１８】同実施形態のクッションボードを示す平面図。
【図１９】同実施形態のクッションボードの使用状態を示す斜視図。
【図２０】同実施形態のクッションボードの使用状態を示す斜視図。
【図２１】本発明の第４実施形態の時計を示す斜視図。
【図２２】同実施形態の時計を示す正面図。
【図２３】本発明の第５実施形態のブックカバーを示す斜視図。
【発明を実施するための形態】
【００２２】
＜第１実施形態＞（製造対象物品が食器関連品である態様）
この実施形態は、本発明を食器関連品であるコースターＵ１〜Ｕ１２（コースター全般を表す場合はＵという符号を付す）の製造に適用した場合のものである。
【００２３】
この実施形態は、１２種類の表現テーマＴ１〜Ｔ１２（表現テーマ全般を表す場合にはＴという符号を付す）に対応した色柄を備えた１２種類のコースターＵ１〜Ｕ１２を製造する場合のものであり、図１は、１２種類のコースターＵ１〜Ｕ１２を示す正面図であり、図２は特定のコースターＵ、例えば、「オウム」という表現テーマＴ６に対応するコースターＵ６を示す拡大正面図、図３は、同平面図である。
【００２４】
色柄を備えた物品である各コースターＵは、図４に示すように、予め定められた表現テーマＴに適した複数種類の色（選定されるべき個別の色には、ａ、ｂ、ｃ、ｄ、ｅ、ｆ、ｇ、ｈ、ｉ、ｊ、ｋ、ｌ、ｍ、ｎ、ｏ、ｐ、ｑ、ｒという符号を付す）を選定する色選定工程１と、これらの選定色ａ、ｂ、ｃ、ｄ、ｅ、ｆ、ｇ、ｈ、ｉ、ｊ、ｋ、ｌ、ｍ、ｎ、ｏ、ｐ、ｑ、ｒにそれぞれ対応した色の発泡体を特定する発泡体特定工程２と、特定された各発泡体をカットして複数のチップ３１を得るチップ製造工程３と、各発泡体から得られたチップ３１（各色ａ〜ｒに対応したチップ３１を表す場合には、符号３１に色ａ〜ｒを示す補助符号をかっこ書きで併記する場合がある）を集合させ熱風等で表面を加熱する加熱工程４と、加熱して表面が軟化した複数のチップ３１を圧縮成形し冷却後取り出す成形工程５と、この成形工程５を経て取り出された成形発泡体５１の表面又は切断面に現れる模様を表現テーマＴに即した色柄としその色柄を物品であるコースターＵの表面に配する色柄生成配置工程６とを備えた製造方法によってそれぞれ生産される。各工程について詳述すれば次の通りである。
【００２５】
（１）色選定工程１
色選定工程１では、まず、使用可能な色ａ〜ｒの種類を決める（以下これらの色ａ〜ｒを「原板色」と称する場合がある）とともに、製造対象物品たるコースターＵに施される色柄の表現テーマＴを定めておき、その表現テーマＴにはどのような原板色（ａ〜ｒ）を如何なる割合で用いるのかを選定する。
【００２６】
具体的に説明すれば、この実施形態では、例えば、図５に示すように、青ａ、群青ｂ、水色ｃ、桃色ｄ、赤紫ｅ、黄緑ｆ、すみれ色ｇ、山吹ｈ、緑ｉ、肌色ｊ、赤ｋ、ねずみ色ｌ、黒ｍ、白ｎ、朱色ｏ、深緑ｐ、紫ｑ、黄色ｒという１８種類の原板色を用いる。表現テーマＴとしては、例えば、月明かりを示唆する「ムーンライトＴ１」、夏の風景に対応した「ナツＴ２」、樹木の葉っぱにちなんだ「リーフＴ３」、バラの花を思い起こさせる「ローズＴ４」、金魚を表す「キンギョＴ５」、鳥のオウムを暗示する「オウムＴ６」、ラベンダーの花を思い起こさせる「ラベンダーＴ７」、海の雰囲気を代表する「オーシャンＴ８」、春の風景に対応した「ハルＴ９」、地球の雰囲気を醸し出す「アースＴ１０」、モノトーンをテーマにした「シロクロＴ１１」、スクランブルエッグを連想させる「エッグＴ１２」という１２種類を設定している。そして、１２種類の表現テーマＴ１〜Ｔ１２に対して、使用する原板色（ａ〜ｒ）、及びその配合割合を、図６に示すようにそれぞれ定めておく。この実施形態では、「ムーンライトＴ１」を、ねずみ色ｌが５０％、肌色ｊが３０％、水色ｃが２０％と定め、「ナツＴ２」を、黄色ｒが２０％、緑ｉが３０％、青ａが４０％、白ｎが１０％と定め、「リーフＴ３」を、黄色ｒが３０％、黄緑ｆが５０％、深緑ｐが２０％と定め、「ローズＴ４」を、桃色ｄが５０％、赤紫ｅが３０％、赤ｋが２０％と定め、「キンギョＴ５」を、赤ｋが５０％、黒ｍが２０％、白ｎが３０％と定め、「オウムＴ６」を、黄緑ｆが５０％、朱色ｏが３０％、青ａが２０％と定め、「ラベンダＴ７」を、紫ｑが５０％、すみれ色ｇが３０％、桃色ｄが２０％と定め、「オーシャンＴ８」を、青ａが３０％、群青ｂが２０％、水色ｃが５０％と定め、「ハルＴ９」を、山吹色ｈが３０％、桃色ｄが４０％、黄緑ｆが２０％、白ｎが１０％と定め、「アースＴ１０」を、ねずみ色ｌが５０％、青ａが３０％、深緑ｐが２０％と定め、「シロクロＴ１１」を、ねずみ色ｌが３０％、黒ｍが２０％、白ｎが５０％と定め、「エッグＴ１２」を、黄色ｒが５０％、山吹色ｈが３０％、白ｎが２０％と定めている。
【００２７】
（２）発泡体特定工程２
発泡体特定工程２は、前述した原板色（ａ〜ｒ）を体現した色付きの発泡体をそれぞれ原板２１として用意しておき、表現テーマＴが提示された段階で、その表現テーマＴに対応した選定色の発泡体たる原板２１を特定する。ここで各原板２１の製造方法を説明すれば次の通りである。まず、熱可塑性樹脂、例えばポリオレフィンと、発泡剤・助剤、架橋剤、及び顔料を配合・計量し（ステップＳ１）混練する（ステップＳ２）。具体的には、ポリオレフィンと配合剤を加圧しながら混合・昇温してゆきコンパウンドを作成する。そして、そのコンパウンドを１２５℃前後の温度に達した段階で取り出して金型に投入し整形する（ステップＳ３）。すなわち、加熱された金型にコンパウンドを入れて加熱し、発泡剤・架橋剤が数％分解された段階で取り出して一次発泡体を得る（ステップＳ４）。しかる後に、その一次発泡体を加熱した金型（例えば、１１５ｍｍ×１０４０ｍｍ×２１００ｍｍ）に入れ、残りの発泡剤・架橋剤を分解させて金型に充填し、冷却後にその発泡体を取り出す（ステップ６）。そして、取り出した発泡体の耳及び皮を取り、例えば、１００ｍｍ×１０４０ｍｍ×２０８０ｍｍの原板２１に仕上げる（ステップＳ７）。なお、使用するポリオレフィン樹脂の代表例として、ポリエチレン（低密度ポリエチレン）を挙げることができる。原板２１は、独立気泡発泡体であってもよいし、連続気泡発泡体であってもよい。
以上のステップが顔料を変更しつつ繰り返し実行されることによって、例えば、図５に対応した１８種類の原板２１を用意することができる。そして、図６に示すような色柄の表現テーマＴ１〜Ｔ１２に合わせて使用する色ａ〜ｒの原板２１を特定し、次の工程に移行する。
（３）チップ製造工程３
チップ製造工程３は、発泡体特定工程２で特定された発泡体たる各原板２１をカットして複数のチップ３１を得る工程であり、具体的には次の通りである。特定された色（ａ〜ｒから選ばれた３又は４色）の原板２１をそれぞれ３０ｍｍ〜５０ｍｍの厚みにスライスする（ステップＳ８）。このようにして得られたものをそれぞれ藁裁断機等を用いてランダムにカットして各色のチップ３１を製造する（ステップＳ９）。図９は、単色発泡体たる原板２１を縦方向にカットしている途中の状態を模式的に示したものであり、さらに横にもカットしてチップ３１を作るものである。
【００２８】
（４）加熱工程４
加熱工程４は、複数種類の単色発泡体たる原板２１から得られたチップ３１を集合させ、それらの表面を熱風等で加熱する工程である。すなわち、各単色発泡体たる原板２１から得られた不揃いのチップ３１（ｃ）、３１（ｊ）、３１（ｌ）を図６に示す配合割合で集合させ（ステップＳ１０）、それらチップ３１（ｃ）、３１（ｊ）、３１（ｌ）を混合し撹拌する。しかる後に、それらのチップ３１（ｃ）、３１（ｊ）、３１（ｌ）を熱風で加熱し、チップ３１（ｃ）、３１（ｊ）、３１（ｌ）の表面を溶かす（ステップＳ１１）。図１０は複数種類の色のチップ３１（ｃ）、３１（ｊ）、３１（ｌ）を集合させた状態を模式的に示すものである。
【００２９】
（５）成形工程５
成形工程５は、加熱して表面が軟化した複数のチップ３１を圧縮成形し冷却後取り出す工程である。すなわち、この工程５では、熱風により加熱され表面が軟化したランダム形状をなす各種のチップ３１を型に投入し（ステップＳ１２）、この型内で５０％程度圧縮して固定し（ステップＳ１３）、冷却後に最終原板とも言うべき成形発泡体５１を取り出す（ステップ１４）。図１１は、ランダム形状をなす各色のチップ３１、すなわち水色ｃのチップ（ｃ）、肌色ｊのチップ３１（ｊ）及びねずみ色ｌのチップ３１（ｌ）を型に入れるイメージを模式的に示したものであり、図１２は、型５２から取り出した成形発泡体５１を模式的に示したものである。この工程５で使用する型５２は、例えば、底壁５３１と周壁５３２とを備えた第１の型要素５３と、この第１の型要素５３内に投入されたチップ３１（ｃ）、３１（ｊ）、３１（ｌ）を最終原板である成形発泡体５１の厚み方向に圧縮する第２の型要素５４とを備えたものであり、この明細書では成形発泡体５１の厚み方向を「圧縮方向Ｘ」と称する。また、この明細書では「圧縮率」という文言を使用するが、この圧縮率とは、第１の型要素５３内に投入され平準化されたチップ３１の集合体の実質的な厚み寸法に対する成形終了時点の成形発泡体５１の厚み寸法の割合を意味している。
【００３０】
（６）色柄生成配置工程６
色柄生成配置工程６は、前述した成形工程５を経て取り出された成形発泡体５１の表面又は切断面に現れる模様を表現テーマＴに即した色柄としその色柄を物品の表面に配する工程である。この実施形態では、例えば、有効サイズが５０ｍｍ×１０００ｍｍ×１０００ｍｍの成形発泡体５１を作った上で、その成形発泡体５１を、例えば、図１３に示すように、２５ｍｍにスライスして製品素材６１を製造し、その製品素材６１を図１４に示すように所定形状（この実施形態では直径９４ｍｍの円形）に打ち抜くことによって製造対象物品であるコースターＵ１を完成させるようにしている。すなわち、この第１の実施形態では、成形発泡体５１から作られたコースターＵ１を、そのまま製造対象物品とするものであり、コースターＵ１の表裏両面に現れた色柄が本発明にかかる表現テーマＴ１に対応した色柄として機能する。
【００３１】
そして、以上説明した工程を表現テーマＴ１〜Ｔ１２毎に実行することによって、各表現テーマＴ１〜Ｔ１２に対応した色柄を備えたコースターＵ１〜Ｕ１２を製造することができる。
【００３２】
以上のようにして作られた製造対象物品たるコースターＵの表裏両面は、成形発泡体５１の圧縮方向Ｘと直交する方向にスライスした面であり、このスライス面Ｓには濃淡のある優れた色柄が現れる。すなわち、この色柄は、境界線６２により囲まれる複数の不定形領域６３が存在するものであり、各不定形領域６３は各チップ３１を圧縮することにより形成されたものである。したがって、各不定形領域６３は前述の原板色（ａ〜ｒ）に対応した色彩を呈しており（色の異なる不定形領域６３を区別する場合には符号６３に前述した色に関する符号ａ〜ｒを併記する）、不定形領域６３の占有面積割合は図６に示すチップ３１の配合割合に対応したものになっている。したがって、このコースターＵの色柄は、表現テーマＴに沿った共通の雰囲気を醸し出すものとなる。
【００３３】
なお、このコースターＵにおける各不定形領域６３は各チップ３１が圧縮されたものであるため、原板色（ａ〜ｒ）よりも濃い色となっており、また、スライス面ＳすなわちコースターＵの表裏両面に現れる色柄の不定形領域６３には濃淡が現れる。さらに、各不定形領域６３の表面には発泡体２１が有する多数の気泡に由来した微細な凹部が点在することになり、この微細な凹凸に起因した構造色が発生することも少なくない。すなわち、各不定形領域６３には、光の乱反射等により原板色（ａ〜ｒ）とは異なった光沢のある色味が発生することもある。しかも、成形発泡体５１を構成する各チップ３１が包有する気泡の大きさが、チップ毎に異なり、及び／又は、各部分毎に異なる（例えば、一個のチップ５１の外周縁部の少なくとも一部が強く圧縮され気泡が小さく密度が高まるのに対し、チップ５１の中央部は気泡が比較的大きい等）ことにより、気泡が小さく圧縮され密度のより高まった部位の色味が濃く、それに比して気泡が小さく圧縮されていない部位の色味が薄くなるだけでなく、部位により光の乱反射等の起こる度合いも異なることとなって、均一でなく見る角度によっても変化する光沢を得ることができる。この光沢が発生する可能性は、次の条件を満たした場合に高まるものである。まず、気泡由来の風合いのある肌模様は、スライス面Ｓに現れる色柄に発生し易い。そして、その発生可能性を高めるには、発泡体の発泡倍率を、１５倍〜４０倍とし、成形工程５における圧縮率を、４０％〜８０％に設定しておくのがよい。特に効果的であるのは、発泡倍率が２０倍〜３０倍で、成形工程５における圧縮率が６０％〜７０％（約６５％）である。これらの範囲を逸脱すると、風合いのある肌模様が現れにくくなる。また、圧縮率が低すぎると、各チップ３１がうまく溶着又は結合せずばらばらになるリスクが高まる。圧縮率が高すぎると、チップ３１の色が濃くなり、グラデーション又は水彩の滲みのような審美的な濃淡を作出できない。圧縮率は高い方が、チップ３１及びその集合体Ｕが固くなる。
【００３４】
スライス面Ｓ以外の面、すなわち、この実施形態では圧縮方向Ｘと平行な断面にも色柄が現れるが、断面においてはスライス面Ｓに比べて各チップ３１が圧縮される度合いが高く、気泡も圧し潰される傾向にあるため、各不定形領域に濃淡が現れ難く光沢のない濃い色になる。濃淡や豊かな色味のある光沢が不定形領域６３に出現するのは、圧縮方向Ｘに直交する仮想平面に対して０°〜４５°の角度をなしている面Ｓに現れる色柄において顕著である。本実施形態のスライス面Ｓは、仮想平面Ｓ０に対して０°となっている。
【００３５】
以上のような製造方法によれば、表現テーマＴに即した奇抜で美しい色柄を備えたコースターＵを効率よく生み出すことができる。しかも、表現テーマＴに対して、どのような色ａ〜ｒを如何なる割合で用いるのを決めることで、表現テーマＴに対応した色柄を生み出すことができる。そのため、色柄生成に関する従来の専門家の手を煩わせることなしに表現テーマに即した綺麗な色柄のコースターＵを工業的な手順に沿って製造することができる。かかる色柄を綺麗に感じる理由の一つは、発泡体である各チップ３１が均一に圧縮されないため、成形後は光が均等に反射せず、混ぜた色ａ〜ｒの数（色の異なるチップ３１の種類数）以上に、色を多く感じられるためである。すなわち、色柄の不定形領域６３には構造色ともいうべき豊かな色味と光沢のあるグラデーションが現れる。
【００３６】
また、この実施形態のように、成形発泡体６１を加工してそのままコースターＵとする場合には、同じ表現テーマＴで製造したコースターＵでも、その色柄にはひとつとして同じものはない。すなわち、特定の表現テーマＴの下で製造されたコースターＵは、その表現テーマＴに即した共通の雰囲気を醸し出す色柄を備えてはいるが、その色柄を構成している境界線６２や不定形領域６３の形状、或いは濃淡の度合いや配色等はすべて異なったものになる。したがって、大量生産的な手法により作られる工業製品であるにも関わらず、個々のコースターＵはそれぞれ豊かな個性を有したものとなる。
【００３７】
さらに、本発明をコースターＵに適用した場合、次のような格別な効果が得られる。まず、薄暗い場所に配置された単一色等のテーブル上で使用した場合、綺麗な色柄を有するコースターＵの位置が一目でわかる。また、色彩豊かなコースターＵ上にガラスコップを置くと屈折率の関係で新しい模様となって現れるものである。また、独立気泡を有する発泡体により作られたコースターＵは、水を吸わないので劣化しない。
【００３８】
なお、コースターＵと同様な効果を奏し得る他の食器関連品としては、例えば、テーブルクロスやランチョンマット等を挙げることができる。
【００３９】
＜第２実施形態＞（製造対象物品が内装関連品たるクッションである態様）
この実施形態は、本発明をクッションＶの製造に適用した場合のものである。クッションＶは、図１５に示すように椅子ＣＨの座等に載置して使用されるもので、例えば、直径３５０ｍｍ、厚み２５ｍｍ程度の円板状をなしている。
【００４０】
かかるクッションＶは、第１実施形態において説明したコースターＵの製造方法に準じた方法により作ることができる。すなわち、前述した成形工程５で生成された成形発泡体５１を圧縮方向Ｘと直交する面に沿ってスライスして厚み２５ｍｍの製品素材６１を作り、その製品素材６１を円形に打ち抜くことによってクッションＶを得ることができる。そして、図４〜図１４に示す手順を表現テーマＴ１〜Ｔ１２毎に繰り返し実行することによって、１２種類の色柄を備えたクッションＶ１〜Ｖ１２を製造することができる。図１６は、特定のクッションＶ、例えば、表現テーマＴを「ハルＴ９」とするクッションＶ９を示す正面図である。
【００４１】
このクッションＶも、コースターＵと同様に成形発泡体５１の一部をそのまま構成部材にして作り上げられたものであり、クッションＶの表裏両面（スライス面Ｓ）に現れた色柄が本発明にかかる表現テーマＴに対応した色柄として機能する。
【００４２】
クッションＶの製造方法に基づく基本的な作用効果は、前述した第１実施形態の説明に準じたものであるが、物品をクッションＶ等の室内関連品に限定したことによる格別な効果は次の通りである。まず、このような色柄を有するものであれば、その色柄の表現テーマＴを適宜選定することによって春・夏・秋・冬・花・空等のイメージを表現でき、部屋の雰囲気を変えることができる。また、色の組合せで季節に応じた寒暖を表現することができ、視覚を通して部屋の雰囲気をうまく演出することが可能になる。
【００４３】
なお、「室内関連品」とは、かかる効果を発揮し得る品であれば、クッションＶ以外のものであってもよく、例えば、後述するクッションボードＷ、壁紙、カーテン等はその概念に含まれる。
【００４４】
＜第３実施形態＞（製造対象物品が内装関連品たるクッションボードである態様）
この実施形態は、本発明をクッションボードＷの製造に適用した場合のものである。クッションボードＷは、図１９及び図２０に示すように床面ＦＬや壁面ＷＬに添接させて使用するもので、例えば、４５０×４５０ｍｍ、厚み２５ｍｍ程度の正方形板状をなしている。
【００４５】
かかるクッションボードＷは、第１実施形態において説明したコースターＵの製造方法に準じた方法により作ることができる。すなわち、前述した成形工程５で生成された成形発泡体５１を圧縮方向Ｘと直交する面に沿ってスライスして厚み２５ｍｍの製品素材６１を作り、その製品素材６１を正方形に裁断することによってクッションボードを得ることができる。そして、図４〜図１４に示す手順を表現テーマＴ１〜Ｔ１２毎に繰り返し実行することによって、１２種類の色柄を備えたクッションボードＷ１〜Ｗ１２を製造することができる。図１７は、特定のクッションボード、例えば、表現テーマを「オウムＴ６」とするクッションボードＷ６を示す正面図であり、図１８は同平面図である。また、図１９は、複数枚のクッションボードＷを壁面ＷＬに配置した状態を示すものであり、図２０は、複数枚のクッションボードＷを密に隣接させて床面ＦＬ上に敷いた状態を示すものである。
【００４６】
このクッションボードＷも、コースターＵと同様に成形発泡体５１の一部をそのまま構成部材にして作り上げられたものであり、クッションボードＷの表裏両面（スライス面Ｓ）に現れた色柄が本発明にかかる表現テーマＴに対応した色柄として機能する。
【００４７】
クッションボードＷの製造方法に基づく基本的な作用効果は、前述した第１実施形態の説明に準じたものであり、物品をクッションボードＷ等の室内関連品に限定したことによる格別な効果も第２実施形態と同様である。なお、このクッションボードＷを壁面ＷＬに配する場合には、装飾のみならず、掲示用のクリップボードとして機能させることも可能である。また、このクッションボードＷを床面ＦＬに敷き詰めて使用する場合等には、クッションボード自体をジョイントマット的な形態にしてもよい。
【００４８】
＜第４実施形態＞（製造対象物品が計器の文字盤である態様）
この実施形態は、本発明を計器である時計７の文字盤Ｙの製造に適用した場合のものである。時計７は、図２１に示すように、正面に表出する文字盤Ｙと、この文字盤Ｙの背面に添設された裏当盤ＹＹとを備えたもので、文字盤Ｙの前には、時刻をアナログ的に示す長針７１及び短針７２が配されている。この実施形態は、本発明をその文字盤Ｙと裏当盤ＹＹの製造方法に適用したものである。文字盤Ｙは、例えば、直径２２０ｍｍ、厚み５ｍｍ程度の円板状のものである。文字盤Ｙは、中心に長針７１及び短針７２の軸７３を貫通させる中心孔７４と、時刻表示用文字に代替する複数の目盛り孔７５とを備えている。一方、裏当盤ＹＹは、例えば、直径２２０ｍｍ、厚み２０ｍｍ程度の円板状のものである。裏当盤ＹＹは中央部分に長針７１及び短針７２を駆動するための図示しないメカユニットを収容する空洞を備えており、文字盤Ｙの裏面に添着されている。
【００４９】
これらの文字盤Ｙは、第１実施形態において説明したコースターＵの製造方法に準じた方法により作ることができる。すなわち、前述した成形工程５で生成された成形発泡体５１を圧縮方向Ｘと直交する面に沿ってスライスして厚み５ｍｍの製品素材６１を作り、その製品素材６１を円形に打ち抜くとともに中心孔７４及び目盛り孔７５を穿設することによって文字盤Ｙを得ることができる。そして、図４〜図１４に示す手順を表現テーマＴ１〜Ｔ１２毎に繰り返し実行することによって、１２種類の色柄を備えた文字盤Ｙ１〜Ｙ１２を製造することができる。図２１は、時計７を示す斜視図、図２２は、特定の文字盤Ｙ、例えば、表現テーマＴを「ナツＴ２」とする文字盤Ｙ２をそなえた時計７の正面図である。裏当盤Ｚも文字盤Ｙに準じた製造方法により作り出すことができる。
【００５０】
この文字盤Ｙも、コースターＵと同様に成形発泡体の一部をそのまま構成部材にして作り上げられたものであり、文字盤Ｙの表面（スライス面）に現れた色柄が本発明にかかる表現テーマＴに対応した色柄として機能する。
【００５１】
時計７の文字盤Ｙの製造方法に基づく基本的な作用効果は、前述した第１実施形態の説明に準じたものであるが、物品を時計７の文字盤Ｙに限定したことによる格別な効果は次の通りである。このような文字盤Ｙを有する時計７を単一色である壁面ＷＬに掛けると、三色以上のチップ３１で作成された色柄が目を引くことになり、時計７の存在感を高めることができる。また、チップ境界面が機械的な直線でなく曲線で構成されているため、スライス面Ｓに現れる色柄も、チップ３１に対応する各不定形領域６３が趣のある曲線的な境界線に区成されたものとなり、無機的な感じではない人にやさしいイメージが醸し出される。さらに、同じ組み合わせの色の時計７ができないため、オリジナル感もある。すなわち、以上説明した製造方法によれば、ランダムに集合・混錬された色違いのチップ３１を圧縮して生成される成形発泡体５１の一部を用いて文字盤Ｙが作られるので、文字盤Ｙの正面（スライス面Ｓ）に表出する色柄は、成形発泡体５１が出来上がる毎に異なったものとなり、ひとつとして同じものはない。そのため、工業製品であるにも拘わらず個性豊かな時計７を作り出すことができる。また、このような時計７であれば、文字盤Ｙが柔らかい発泡体で構成されるため、落下・転倒による破損が少ないという効果も得られる。本発明は、このような効果に準じた効果を奏し得るものであれば、時計に限らず他の計器にも適用が可能である。さらに、文字盤Ｙに現れる色柄は直線形状部分がほとんど無い不定形なものとなるため、かかる時計７に適用した場合に直線的な長針７１や短針７２が相対的に視認し易いという効果も奏する。
【００５２】
＜第５実施形態＞（製造対象物品がシート素材である態様）
この実施形態は、本発明を色柄を備えたシート素材Ｚの製造に適用した場合のものであり、このシート素材Ｚを用いてブックカバー８を作る例を示している。ブックカバー８は、図２３に示すように、書籍ＢＫの表紙を覆う表紙被覆部８１と、背表紙を覆う背表紙被覆部８２と、裏表紙を覆う図示しない裏表紙被覆部とを具備してなる通常の構造のものであるが、その素材が従来のものとは異なっている。すなわち、このブックカバー８は、表裏両面に色柄を備えた発泡材製のシート素材Ｚにより作られている。
【００５３】
シート素材Ｚは、例えば、厚み１ｍｍ程度のものであり、第１〜第４実施形態に準じた製造方法により作られる。すなわち、このシート素材Ｚは、前述した成形工程５で得られる成形発泡体５１を、厚みが１ｍｍ程度になるようにして圧縮方向Ｘと直交する面に沿ってスライスすることにより得られる。そして、このシート素材Ｚを所定形状に打ち抜くとともに、要所を折り曲げることによって前述したブックカバー８を完成させることができる。この実施形態のブックカバー８は、前述したコースターＵ等と同様に成形発泡体５１の一部をそのまま構成部材にして作り上げられたものであり、表面（スライス面Ｓ）に現れた色柄が本発明にかかる表現テーマＴに対応した色柄として機能する。
【００５４】
本製造方法により作られた色柄を備えたシート素材Ｚは、しなやかに変形可能な発泡シート状のものであり、その両面に表現テーマに対応した色柄が現れる。この色柄は、境界線６２により囲まれる複数の不定形領域６３が存在するものであり、各不定形領域６３は各チップ３１を圧縮することにより形成されたものである。したがって、各不定形領域６３は前述の原板色ａ〜ｒに対応した色彩を呈しており、不定形領域６３の占有面積割合は図６に示すチップ３１の配合割合に対応したものになっている。したがって、このシート素材Ｚの色柄は、表現テーマＴに沿った共通の雰囲気を醸し出すものとなる。しかも、シート素材Ｚは発泡体２１により構成された薄肉構造のものであるため、透光性があり使い方によっては各不定形領域６３の色がとりわけ美しく映えることになる。
【００５５】
なお、このシート素材Ｚにおける各不定形領域６３は各チップ３１が圧縮されたものであるため、原板色（ａ〜ｒ）に対応した色となっており、また、スライス面Ｓすなわちシート素材Ｚの表裏両面に現れる色柄の不定形領域６３には濃淡が現れる。さらに、各不定形領域６３の表面には発泡体２１が有する多数の気泡に由来した微細な凹部が点在することになり、この微細な凹凸に起因した構造色が発生することも少なくない。すなわち、各不定形領域６３には、光の乱反射等により原板色（ａ〜ｒ）とは異なった光沢のある色味が発生することもあり、この光沢が発生する可能性は、次の条件を満たした場合に高まるものである。まず、気泡由来の風合いのある肌模様は、スライス面Ｓに現れる色柄に発生し易い。そして、その発生可能性を高めるには、発泡体の発泡倍率を、１５倍〜４０倍とし、成形工程５における圧縮率を、４０＆〜８０％に設定しておくのがよい。特に効果的であるのは、発泡倍率が２０倍〜３０倍で、成形工程５における圧縮率が６０％〜７０％（約６５％）である。これらの範囲を逸脱すると風合いのある肌模様が現れにくくなる。また、透光性に基づく美観を高めるには、シート素材の厚み寸法を１ｍｍ〜数ｍｍに設定するのがよい。１ｍｍよりも薄い厚さにスライスすると、各チップ３１が分解するおそれがあり、厚みは１ｍｍ以上に設定することが好適である。厚みを約１ｍｍに設定すれば、しなやかな柔軟性を併せて得ることができる。
【００５６】
このようなシート素材Ｚを、ブックカバー８に用いた場合には、シート素材Ｚが持つ固有の特性を受け継ぐものとなり、綺麗な製品となる。特に、ブックカバー８のように使用者が手に持って用いる製品の場合には、発泡体の性質に由来して肌さわりがソフトになるという効果が得られる。さらに、密度の高い境界線６２と比較的密度の低い不定形領域６３の存在により表面に柔らかい部分と硬い部分が存在することになり、滑り難くフィット感が得られる。さらに、カラフルなため、汚れが目立ち難いという効果も期待できる。
【００５７】
なお、このようなシート素材Ｚにより作られる製品は、ブックカバー８に限られるものではなく、前述した効果を期待できるものであればどのようなものであってもよい。例を挙げれば、クリヤーファイルの仕切りや、梱包シートや風呂敷その他の包み、袋等がある。かかる仕切りはファイルにアクセントをつけることができ、目立つという利点がある。梱包シート等の包みや袋に用いた場合には、シート素材Ｚの特性をそのまま受け継ぐことになり、前述した種々の効果を得られるものであり、汚れが目立ちにくい上に、お店の雰囲気やコンセプト、あるいは梱包品の内容暗示等を色柄の表現テーマにより受け取る側に伝えることができる。また、このような梱包シートは、種々の色柄を用意しておくことができるため、渡す相手に応じて好みのものを選定する際における自由度が高くなる。
【００５８】
＜他の実施形態＞
以上説明した実施形態では、色柄生成配置工程において、成形発泡体の表面又は切断面に現れる模様をそのまま色柄として物品の表面に配する態様について説明したが、本発明には、このような態様に限らず、例えば、成形発泡体のスライス面等の切断面に現れる模様を色柄としてカメラ等により撮像し、その画像データに基づいて物品にその色柄を印刷する態様も含まれる。かかる態様により作られる物品としては、テーブルクロス、カーテン、包装紙、包装容器等が考えられる。
【００５９】
なお、本発明は以上に詳述した実施形態に限られるものではなく、各部の具体的構成も、本発明の趣旨を逸脱しない範囲で種々変形が可能である。
【符号の説明】
【００６０】
１…色選定工程
２…発泡体特定工程
２１…原板
３…チップ製造工程
３１…チップ
４…加熱工程
５…成形工程
５１…成形発泡体
５２…型
６…色柄生成配置工程
６１…製品素材
６２…境界線
６３…不定形領域
７…時計（計器）
８…ブックカバー
Ｘ…圧縮方向
Ｓ…スライス面（切断面）
Ｓ０…仮想平面
Ｕ…コースター（物品）
Ｖ…クッション（物品）
Ｗ…クッションボード（物品）
Ｙ…文字盤（物品）
Ｚ…シート素材（物品）
【図１】
2020131527.tif 000003
【図２】
2020131527.tif 000004
【図３】
2020131527.tif 000005
【図４】
2020131527.tif 000006
【図５】
2020131527.tif 000007
【図６】
2020131527.tif 000008
【図７】
2020131527.tif 000009
【図８】
2020131527.tif 000010
【図９】
2020131527.tif 000011
【図１０】
2020131527.tif 000012
【図１１】
2020131527.tif 000013
【図１２】
2020131527.tif 000014
【図１３】
2020131527.tif 000015
【図１４】
2020131527.tif 000016
【図１５】
2020131527.tif 000017
【図１６】
2020131527.tif 000018
【図１７】
2020131527.tif 000019
【図１８】
2020131527.tif 000020
【図１９】
2020131527.tif 000021
【図２０】
2020131527.tif 000022
【図２１】
2020131527.tif 000023
【図２２】
2020131527.tif 000024
【図２３】
2020131527.tif 000025